(57)【要約】      （修正有）【課題】特殊な治具を用いずに、部品を仮保持することができるナビゲーション装置の技術を提供する。【解決手段】ナビゲーション装置は、一つ以上の電子基板が取り付けられる第一の支持部材と、一つ以上の電子基板が取り付けられる第二の支持部材と、前記第一の支持部材と前記第二の支持部材とを組み付ける接合部３３０と、を備え、前記接合部３３０は、前記第一の支持部材から突出する三つ又の爪部材３３１と、前記第二の支持部材から突出し前記三つ又の爪部材３３１のいずれかと平行する凸面３４１と、を有し、前記凸面３４１に前記三つ又の爪部材３３１の平行する面がはめ込まれる。【選択図】図４
2012051420.tif 000002
【特許請求の範囲】
【請求項１】
一つ以上の電子基板が取り付けられる第一の支持部材と、
一つ以上の電子基板が取り付けられる第二の支持部材と、
前記第一の支持部材と前記第二の支持部材とを組み付ける接合部と、を備え、
前記接合部は、前記第一の支持部材から突出する三つ又の爪部材と、前記第二の支持部材から突出し前記三つ又の爪部材のいずれかと平行する凸面と、を有し、
前記凸面に前記三つ又の爪部材の平行する面がはめ込まれる、
ことを特徴とするナビゲーション装置。
【請求項２】
請求項１に記載のナビゲーション装置であって、
前記三つ又の爪部は、平行する三本の板により構成されており、中央の板は、他の板より少なくとも前記凸面の厚さだけせり出しており、
前記凸面は、前記せり出しにより生じた隙間にはめ込まれる、
ことを特徴とするナビゲーション装置。
【請求項３】
請求項２に記載のナビゲーション装置であって、
前記凸面には、位置決めのための突起が設けられており、
前記中央の板には、前記突起に対応する位置に、位置決め孔が設けられており、
前記位置決めのための突起が前記位置決め孔にはまり込むことで、前記第一の支持部材と前記第二の支持部材との位置が定められる、
ことを特徴とするナビゲーション装置。
【請求項４】
請求項１〜３のいずれか一項に記載のナビゲーション装置であって、
前記三つ又の爪部材は、平行する三本の板により構成されており、両端の板の前記第二の支持部材が取り付けられる方向の先端は、鈍角に折り曲げがなされている、
ことを特徴とするナビゲーション装置。
【請求項５】
ナビゲーション装置の組立構造であって、
前記ナビゲーション装置は、
一つ以上の電子基板が取り付けられる第一の支持部材と、
一つ以上の電子基板が取り付けられる第二の支持部材と、
前記第一の支持部材と前記第二の支持部材とを組み付ける接合部と、を備え、
前記接合部は、前記第一の支持部材から突出する三つ又の爪部材と、前記第二の支持部材から突出し前記三つ又の爪部材のいずれかと平行する凸面と、を有し、
前記凸面に前記三つ又の爪部材の平行する面がはめ込まれる、
ことを特徴とするナビゲーション装置の組立構造。
【請求項６】
請求項５に記載のナビゲーション装置の組立構造であって、
前記三つ又の爪部は、平行する三本の板により構成されており、中央の板は、他の板より少なくとも前記凸面の厚さだけせり出しており、
前記凸面は、前記せり出しにより生じた隙間にはめ込まれる、
ことを特徴とするナビゲーション装置の組立構造。
【請求項７】
請求項６に記載のナビゲーション装置の組立構造であって、
前記凸面には、位置決めのための突起が設けられており、
前記中央の板には、前記突起に対応する位置に、位置決め孔が設けられており、
前記位置決めのための突起が前記位置決め孔にはまり込むことで、前記第一の支持部材と前記第二の支持部材との位置が定められる、
ことを特徴とするナビゲーション装置の組立構造。
【請求項８】
請求項５〜７のいずれか一項に記載のナビゲーション装置の組立構造であって、
前記三つ又の爪部材は、平行する三本の板により構成されており、両端の板の前記第二の支持部材が取り付けられる方向の先端は、鈍角に折り曲げがなされている、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多く、なるべく部品をユニット化して、組立工程を合理的なものとするのが望ましい。特に、電子基板同士の接合部があるユニットについては、厳密な位置の決定と、高い取り付け精度が要求されることが多いために、製造工程が煩雑なものとなる。
【０００５】
本発明の目的は、電子基板同士の接合部を有する部品を容易に組み立てることができるナビゲーション装置の技術を提供することにある。
【課題を解決するための手段】
【０００６】
上記課題を解決すべく、本発明に係るナビゲーション装置は、一つ以上の電子基板が取り付けられる第一の支持部材と、一つ以上の電子基板が取り付けられる第二の支持部材と、前記第一の支持部材と前記第二の支持部材とを組み付ける接合部と、を備え、前記接合部は、前記第一の支持部材から突出する三つ又の爪部材と、前記第二の支持部材から突出し前記三つ又の爪部材のいずれかと平行する凸面と、を有し、前記凸面に前記三つ又の爪部材の平行する面がはめ込まれる、ことを特徴とする。
【０００７】
また、本発明に係るナビゲーション装置の組立構造では、前記ナビゲーション装置は、一つ以上の電子基板が取り付けられる第一の支持部材と、一つ以上の電子基板が取り付けられる第二の支持部材と、前記第一の支持部材と前記第二の支持部材とを組み付ける接合部と、を備え、前記接合部は、前記第一の支持部材から突出する三つ又の爪部材と、前記第二の支持部材から突出し前記三つ又の爪部材のいずれかと平行する凸面と、を有し、前記凸面に前記三つ又の爪部材の平行する面がはめ込まれる、ことを特徴とする。
【発明の効果】
【０００８】
本願発明によれば、電子基板同士の接合部を有する部品を容易に組み立てることができるナビゲーション装置の技術を提供することが可能となる。
【図面の簡単な説明】
【０００９】
【図１】図１は、ナビゲーション装置の組立工程を示す図である。
【図２】図２は、ナビゲーション装置の組立工程を示す図である。
【図３】図３は、基板ユニットの支持部材を組み付ける状態を示す図である。
【図４】図４は、基板ユニットの支持部材の詳細な斜視図である。
【図５】図５は、基板ユニットの支持部材とその断面図である。
【図６】図６は、基板ユニットに支持部材を組み付けた状態の断面図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面、両側面の外側から、上記第一の内部ユニット２００、第二の内部ユニット３００、底面ユニット４００がねじ止めされる。なお、本実施形態においては、金属筐体１００の側面の片方の面（図２（ｂ）の図右下側の面）には開口がある。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、図１（ｂ）に示す天面に部品を組み付ける工程における、第二の内部ユニット
３００の詳細な斜視図である。第二の内部ユニット３００は、第一のブラケット３１０と、第二のブラケット３２０と、を含む。第一のブラケット３１０には、オーディオヴィジュアル機能を実現する処理系を備える電子基板であるオーディオ基板が主として組みつけられる。また、第二のブラケット３２０には、ナビゲーション機能を実現する処理系を備える電子基板であるナビ基板が主として組みつけられる。本実施形態においては、オーディオ基板と、ナビ基板とは、各基板に固定的に取り付けられた接続用電子部品間で接触して、接点を有する。以下の説明においては、これらナビ基板とオーディオ基板を省略して説明するが、実際には、第一のブラケット３１０にはオーディオ基板が取り付けられ、第二のブラケット３２０にはナビ基板が取り付けられた状態で、第一のブラケット３１０と第二のブラケット３２０とが組みつけられる。
【００１８】
第一のブラケット３１０と、第二のブラケット３２０とは、図３に示すように、所定の位置に設けられたブラケット間接合部を介して、互いに取り付けられる。ブラケット間接合部の一つとして、図３に示された第一のブラケット３１０側の接合部３３０と、第二のブラケット３２０側の接合部３４０について、図４に拡大図を示す。なお、ブラケット間接合部は、本実施形態では、ブラケットの対角線上の四隅に設けられている。
【００１９】
図４（ａ）は、第一のブラケット３１０側の接合部３３０の拡大図である。第一のブラケット３１０には、第二のブラケット３２０に向かうＺ方向（図４（ａ）の下方向）に突出する爪部３３１および基部３３４が設けられている。図示するように、爪部３３１と基部３３４とは、三つ又に分岐する板部によって構成されており、その中央の板部が爪部３３１、左右の板部が基部３３４となっている。爪部３３１には、位置決め孔３３２と、ねじ孔３３３と、が設けられている。当該位置決め孔３３２は、図４（ｂ）に示す位置決め突起３４２とはめあって、第一のブラケット３１０と第二のブラケット３２０とのＺ方向の固定を行い、仮保持を実現する。
【００２０】
また、爪部３３１は、基部３３４に比べて、第二のブラケット３２０の接合部３４０の板厚と略同距離だけ、ブラケットの外側方向へせり出している。当該せり出しによる基部３３４と爪部３３１の隙間に、第二のブラケット３２０の接合部３４０がはまり込むことで、第一のブラケット３１０および第二のブラケット３２０間のＸ方向への移動が制限されて、仮保持を実現する。
【００２１】
基部３３４のＺ方向の先端は、鈍角に、Ｘ方向に曲がっている。すなわち、基部３３４の先端は、ブラケットの内側方向へ曲げられている。当該曲げは、組み付けの際に、Ｘ方向の位置のズレを修正するガイドの役割を担うため、第二のブラケット３２０の接合部３４０がはめ込まれやすくなる。
【００２２】
図４（ｂ）は、第二のブラケット３２０側の接合部３４０の拡大図である。第二のブラケット３１０には、第一のブラケット３１０に向かう方向（図４（ｂ）の上方向）に突出する接合部３４０が設けられている。接合部３４０は、第二のブラケット３２０の内側（Ｘ方向）へ斜面３４５によりせり出す凸面３４１が形成されている。また、当該凸面３４１には、図４（ａ）の位置決め孔３３２にはまり込む位置決め突起３４２と、図４（ａ）のねじ孔３３３に対応する位置にねじ孔３４３と、が設けられており、位置決め突起３４２は、第一のブラケット３１０と第二のブラケット３２０とのＺ方向（図４（ｂ）の下方向）の固定を行い、仮保持を実現する。
【００２３】
また、凸面３４１は、斜面３４５により、第一のブラケット３１０の爪部３３１の板厚と略同じ距離だけ、内側へせり出している。凸面は、第一のブラケット３１０の基部３３４と爪部３３１の隙間にはまり込むことで、第一のブラケット３１０および第二のブラケット３２０間のＸ方向への移動が制限されて、仮保持を実現する。なお、凸面３４１の幅は、爪部３３１の幅と略同一となっている。そのため、凸面３４１にはまり込んだ爪部３３１は、Ｙ方向（図４（ｂ）の右上方向）への移動が制限されて、仮保持される。
【００２４】
なお、第二のブラケット３２０側の接合部３４０に設けられた切り込み３４４は、第一のブラケット３１０の爪部３３１の先端が突き当たる位置に設けられるのが望ましい。組み付けの際に、当該位置において爪部３３１の先端が接合部３４０の基部に突き当たることで、接合部３３０と接合部３４０とが正しい位置にて勘合しているか否かを目視で確認しやすくなる。
【００２５】
図５に示すように、第一のブラケット３１０は、Ａ−Ａ断面に示すとおり、接合部３３０の基部３３４よりも、爪部３３１がブラケットの外側方向へせり出している。なお、爪部３３１の平面部は、基部３３４の平面部と略平行である。また、基部３３４の先端は、ブラケットの内側方向へ鈍角に曲げられている。
【００２６】
図６は、第一のブラケット３１０と、第二のブラケット３２０と、をはめ合わせた状態の断面を示す。第二のブラケット３２０に設けられた位置決め突起３４２は、第一のブラケット３１０に設けられた位置決め孔３３２にはまり込んでいる。また、爪部３３１は、切り込み３４４により、第二のブラケット３２０の壁面に突き当たっている。第一のブラケット３１０のねじ孔３３３に対応する位置に、第二のブラケット３２０のねじ孔３４３が位置決めされており、第二の内部ユニット３００が金属筐体１００に取り付けられると、筐体外部からのねじにより、ねじ孔３３３とねじ孔３４３は共締めされる。
【００２７】
以上が、本願発明にかかる第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００２８】
上記実施形態によれば、接合部３３０、３４０は、互いにガイドを有し、高い精度で位置決めされて組み付けられる。したがって、容易に電子基板同士の接合部を有する部品を組み立てることができる。
【００２９】
本発明は、上記の実施形態に制限されない。上記実施形態は、本発明の技術的思想の範囲内で様々な変形が可能である。例えば、上記実施形態においては、筐体１００はコの字型をしており、天面、左右側面を備えるものであるが、これに限られず、例えば左右の側面と底面を備えるものであってもよいし、天面のみまたは底面のみを備えるものであってもよい。このようにすることで、様々な形状の骨格を備えるナビゲーション装置についても、仮保持を行ってねじ止め工程を下流工程に集約することができるようになる。
【００３０】
また、例えば、上記実施形態においては、接合部３３０、３４０は、ブラケットの四隅に設けられている。しかし、これに限られず、ブラケットの左右端に設けられるようにしてもよい。仮保持の効果は若干弱くなるが、ねじ止めにより金属筐体１００に組みつけられる程度の強度が確保できれば問題なく、接合部の成型にかかるコストを抑えることができるためである。
【００３１】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００３２】
１・・・ナビゲーション装置、１００・・・筐体、１１０Ｒ・・・右側ねじ群、１１０Ｌ・・・左側ねじ群、１１０Ｔ・・・天面側ねじ群、２００・・・第一の内部ユニット、３００・・・第二の内部ユニット、３１０・・・第一のブラケット、３２０・・・第二のブラケット、３３０・・・接合部、３３１・・・爪部、３３２・・・位置決め孔、３３３・・・ねじ孔、３３４・・・基部、３４０・・・接合部、３４１・・・凸部、３４２・・・位置決め突起、３４３・・・ねじ孔、３４４・・・切り込み、３４５・・・斜面、４００・・・底面ユニット
【図１】
2012051420.tif 000003
【図２】
2012051420.tif 000004
【図３】
2012051420.tif 000005
【図４】
2012051420.tif 000006
【図５】
2012051420.tif 000007
【図６】
2012051420.tif 000008